(57)【要約】【課題】  ユーザが上書き対象とするファイルを決定することができ、かつ、ユーザに必要とされる操作がより簡便なものとされた、データ記録再生装置を提供する。【解決手段】  情報記録再生装置１００では、ハードディスク１２０に記録されているファイルが、再生されて、当該ファイルの映像が、ディスプレイ装置２００で表示される。なお、ハードディスク１２０に録画されている或るファイルの再生中に、操作装置２２の録画キーが長押しされると、当該或るファイルを上書きする録画動作が開始される。【選択図】        図１
2005150800.tif 000002
【特許請求の範囲】
【請求項１】
映像データを受信する受信手段と、
前記受信手段が受信した映像データを番組ごとにファイルとして記録する記録手段と、
前記記録手段に記録されたファイルの再生を指示する再生指示手段と、
前記再生指示手段によって前記記憶手段に記憶された或るファイルの再生が指示された場合に、当該或るファイルを再生させる再生手段と、
前記記録手段に記録されたファイルの上書きを指示する上書き指示手段と、
前記再生手段が前記或るファイルを再生しているときに前記上書き指示手段によってファイルの上書きが指示された場合には、前記記録手段において当該或るファイルが記録されている領域である或る領域に前記受信手段の受信する映像データを記録することにより当該或るファイルを上書きするための動作を実行する上書き実行手段と、
前記上書き指示手段によって前記ファイルの上書きが指示されたときに、映像の記録を開始する時刻である記録開始時刻を指定する時刻指定手段と、
前記時刻指定手段による前記記録開始時刻の指定を許可する第１の設定と許可しない第２の設定とを設定する設定手段とを備え、
前記時刻指定手段は、前記設定手段によって前記第１の設定に設定されている場合にのみ、前記記録開始時刻を指定し、
前記上書き実行手段は、前記或るファイルを上書きするための動作として、前記上書き指示手段によって前記ファイルの上書きが指示されたときに、前記設定手段によって前記第１の設定に設定されている場合には、前記受信手段の受信する映像の前記或る領域への記録を前記記録開始時刻から開始するための動作を実行し、前記設定手段によって前記第２の設定に設定されている場合には、前記上書き指示手段によって上書きを指示されたときから前記受信手段が受信している映像を前記或る領域に記録する動作を実行する、データ記録再生装置。
【請求項２】
映像データを受信する受信手段と、
前記受信手段が受信した映像データを番組ごとにファイルとして記録する記録手段と、
前記記録手段に記録されたファイルの再生を指示する再生指示手段と、
前記再生指示手段によって前記記憶手段に記憶された或るファイルの再生が指示された場合に、当該或るファイルを再生させる再生手段と、
前記記録手段に記録されたファイルの上書きを指示する上書き指示手段と、
前記再生手段が前記或るファイルを再生しているときに前記上書き指示手段によってファイルの上書きが指示された場合には、前記記録手段において当該或るファイルが記録されている領域である或る領域に前記受信手段の受信する映像データを記録することにより当該或るファイルを上書きするための動作を実行する上書き実行手段とを備える、データ記録再生装置。
【請求項３】
前記上書き実行手段は、前記或るファイルを上書きするための動作として、前記上書き指示手段によって上書きを指示されたときから、前記受信手段が受信している映像を前記或る領域に記録する動作を実行する、請求項２に記載のデータ記録再生装置。
【請求項４】
前記上書き指示手段によって前記ファイルの上書きが指示されたときに、映像の記録を開始する時刻である記録開始時刻を指定する時刻指定手段をさらに備え、
前記上書き実行手段は、前記或るファイルを上書きするための動作として、前記受信手段の受信する映像の前記或る領域への記録を前記記録開始時刻から開始するための動作を実行する、請求項２に記載のデータ記録再生装置。
【請求項５】
前記時刻指定手段に前記記録開始時刻の指定を許可する第１の設定と許可しない第２の設定とを設定する設定手段をさらに備え、
前記時刻指定手段は、前記設定手段によって前記第１の設定に設定されている場合にのみ、前記記録開始時刻を指定し、
前記上書き実行手段は、前記或るファイルを上書きするための動作として、前記上書き指示手段によって前記ファイルの上書きが指示されたときに、前記設定手段によって前記第１の設定に設定されている場合には、前記受信手段の受信する映像の前記或る領域への記録を前記記録開始時刻から開始するための動作を実行し、前記設定手段によって前記第２の設定に設定されている場合には、前記上書き指示手段によって上書きを指示されたときから前記受信手段が受信している映像を前記或る領域に記録する動作を実行する、請求項４に記載のデータ記録再生装置。
【発明の詳細な説明】
【技術分野】
【０００１】
本発明は、データ記録再生装置に関し、特に、記録されたデータの上書きに際して、上書きの対象となるデータを選択する操作および上書きを行なう旨の操作が容易に行なえるデータ記録再生装置に関する。
【背景技術】
【０００２】
従来から、データ記録再生装置における記録したデータの上書きについて、すでに記憶されており上書きの対象となるデータをより簡便に選択するための技術が、種々、開示されてきた。
【０００３】
たとえば、特許文献１および特許文献２には、動画データ管理方法として、録画領域が不足した場合に、再生済みとなったデータを、自動的に、消去対象としたり、消去したりする技術が開示されている。具体的には、特許文献１には、デジタル記録手段の空き容量が所定量以下となった場合に、再生済み時間を使用して、消去対象の動画データを選択し、空き容量を確保する技術が開示されている。また、特許文献２には、番組録画方法として、録画領域が不足した場合に、視聴済みの録画番組を検索し、視聴済みの録画番組があった場合には、当該番組のＡＶデータを削除する技術が開示されている。
【０００４】
また、特許文献３および特許文献４には、すでに録画されている映像データに対して、予め上書き対象とする映像ファイルを指定することができたり、予め保存に対する優先順位を指定することができる技術が開示されている。具体的には、特許文献３には、映像録画再生装置において、録画予約モードで、録画メニュー用画面として、録再型ディスクにすでに録画されている映像ファイルの一覧が表示され、当該録画メニュー用画面において任意の映像ファイルが選択されることにより、当該任意の映像ファイルの領域に映像データの録画が行なわれる技術が開示され、また、特許文献４には、映像録画再生装置において、録再型ディスクに録画されている映像データに対して、ユーザが、保存に対する優先順位を付すことができ、当該優先順位および録画日時の順番に基づいて、映像データの上書きが行なわれる技術が開示されている。
【特許文献１】特開２００２−２１００１７公報
【特許文献２】特開２００１−１６７５２２公報
【特許文献３】実用新案登録第３０８０４３３号公報
【特許文献４】特開２００２−３０５７０６公報
【発明の開示】
【発明が解決しようとする課題】
【０００５】
しかしながら、特許文献１および特許文献２に開示された技術では、再生済みとはなったがユーザが保存を希望するデータが上書きにより消去されるという不具合が生じることが考えられる。一方、特許文献３および特許文献４に開示された技術では、ユーザが保存を希望するデータの上書きは回避される一方で、ユーザは、予め、上書き対象とする映像ファイルを指定する操作や優先順位を指定する操作を必要とされるため、今一つ利便性に欠けるという問題があった。
【０００６】
本発明は、かかる実情に鑑み考え出されたものであり、その目的は、ユーザが上書き対象とするファイルを決定することができ、かつ、ユーザに必要とされる操作がより簡便なものとされた、データ記録再生装置を提供することである。
【課題を解決するための手段】
【０００７】
本発明のある局面に従ったデータ記録再生装置は、映像データを受信する受信手段と、前記受信手段が受信した映像データを番組ごとにファイルとして記録する記録手段と、前記記録手段に記録されたファイルの再生を指示する再生指示手段と、前記再生指示手段によって前記記憶手段に記憶された或るファイルの再生が指示された場合に、当該或るファイルを再生させる再生手段と、前記記録手段に記録されたファイルの上書きを指示する上書き指示手段と、前記再生手段が前記或るファイルを再生しているときに前記上書き指示手段によってファイルの上書きが指示された場合には、前記記録手段において当該或るファイルが記録されている領域である或る領域に前記受信手段の受信する映像データを記録することにより当該或るファイルを上書きするための動作を実行する上書き実行手段と、前記上書き指示手段によって前記ファイルの上書きが指示されたときに、映像の記録を開始する時刻である記録開始時刻を指定する時刻指定手段と、前記時刻指定手段による前記記録開始時刻の指定を許可する第１の設定と許可しない第２の設定とを設定する設定手段とを備え、前記時刻指定手段は、前記設定手段によって前記第１の設定に設定されている場合にのみ、前記記録開始時刻を指定し、前記上書き実行手段は、前記或るファイルを上書きするための動作として、前記上書き指示手段によって前記ファイルの上書きが指示されたときに、前記設定手段によって前記第１の設定に設定されている場合には、前記受信手段の受信する映像の前記或る領域への記録を前記記録開始時刻から開始するための動作を実行し、前記設定手段によって前記第２の設定に設定されている場合には、前記上書き指示手段によって上書きを指示されたときから前記受信手段が受信している映像を前記或る領域に記録する動作を実行することを特徴とする。
【０００８】
本発明のある局面に従うと、或るファイルが再生されているときにファイルの上書きが指示されることにより、当該或るファイルのを上書きするための動作が実行される。また、設定手段の設定に応じて、再生中のファイルを、すぐに上書きの対象として利用することもできるし、いわゆる録画予約における上書き対象のファイルとすることもできる。
【０００９】
本発明の他の局面に従ったデータ記録再生装置は、映像データを受信する受信手段と、前記受信手段が受信した映像データを番組ごとにファイルとして記録する記録手段と、前記記録手段に記録されたファイルの再生を指示する再生指示手段と、前記再生指示手段によって前記記憶手段に記憶された或るファイルの再生が指示された場合に、当該或るファイルを再生させる再生手段と、前記記録手段に記録されたファイルの上書きを指示する上書き指示手段と、前記再生手段が前記或るファイルを再生しているときに前記上書き指示手段によってファイルの上書きが指示された場合には、前記記録手段において当該或るファイルが記録されている領域である或る領域に前記受信手段の受信する映像データを記録することにより当該或るファイルを上書きするための動作を実行する上書き実行手段とを備えることを特徴とする。
【００１０】
本発明の他の局面に従うと、或るファイルが再生されているときにファイルの上書きが指示されることにより、当該或るファイルのを上書きするための動作が実行される。
【００１１】
また、本発明のデータ記録再生装置では、前記上書き実行手段は、前記或るファイルを上書きするための動作として、前記上書き指示手段によって上書きを指示されたときから、前記受信手段が受信している映像を前記或る領域に記録する動作を実行することが好ましい。
【００１２】
これにより、或るファイルの再生中に上書き指示手段によって上書きを指示することにより、すぐに、当該或るファイルの上書きを行なうことができる。
【００１３】
また、本発明のデータ記録再生装置は、前記上書き指示手段によって前記ファイルの上書きが指示されたときに、映像の記録を開始する時刻である記録開始時刻を指定する時刻指定手段をさらに備え、前記上書き実行手段は、前記或るファイルを上書きするための動作として、前記受信手段の受信する映像の前記或る領域への記録を前記記録開始時刻から開始するための動作を実行することが好ましい。
【００１４】
これにより、或るファイルの再生中に上書き指示手段によって上書きを指示することにより、当該或るファイルを、いわゆる録画予約における上書き対象のファイルとすることができる。
【００１５】
また、本発明のデータ記録再生装置は、前記時刻指定手段に前記記録開始時刻の指定を許可する第１の設定と許可しない第２の設定とを設定する設定手段をさらに備え、前記時刻指定手段は、前記設定手段によって前記第１の設定に設定されている場合にのみ、前記記録開始時刻を指定し、前記上書き実行手段は、前記或るファイルを上書きするための動作として、前記上書き指示手段によって前記ファイルの上書きが指示されたときに、前記設定手段によって前記第１の設定に設定されている場合には、前記受信手段の受信する映像の前記或る領域への記録を前記記録開始時刻から開始するための動作を実行し、前記設定手段によって前記第２の設定に設定されている場合には、前記上書き指示手段によって上書きを指示されたときから前記受信手段が受信している映像を前記或る領域に記録する動作を実行する。
【００１６】
これにより、設定手段の設定に応じて、再生中のファイルを、すぐに上書きの対象として利用することもできるし、いわゆる録画予約における上書き対象のファイルとすることもできる。
【発明の効果】
【００１７】
本発明によると、或るファイルが再生されているときにファイルの上書きが指示されることにより、上書きの対象となるファイルの指定と、上書きのための動作とが、実行されることになる。したがって、データ記録再生装置において、ユーザが上書きの対象となるファイルを決定することができ、かつ、上書きのための動作に対してユーザに必要とされる操作が簡便となる。
【００１８】
また、本発明によると、再生中のファイルを、すぐに上書きの対象として利用することもできるし、いわゆる録画予約における上書き対象のファイルとすることもできるため、データ記録再生装置における利便性を格段に向上させることができる。
【発明を実施するための最良の形態】
【００１９】
［第１の実施の形態］
以下、図面を参照しつつ、本発明の実施の形態を説明する。
【００２０】
図１は、本発明のデータ記録再生装置の第１の実施の形態である情報記録再生装置１００の構成を示す図である。
【００２１】
情報記録再生装置１００は、当該情報記録再生装置１００の全体的な動作を制御するシステム制御回路１０と、当該システム制御回路１０が時刻をチェックするためのタイマ２３とを、備えている。
【００２２】
また、情報記録再生装置１００において、チューナ１１は、システム制御回路１０からディジタル放送のチャンネル指定信号が供給された場合には、この指定されたチャンネルのディジタル放送波を受信する。この際、チューナ１１は、受信したディジタル放送波を復調することによりＭＰＥＧ(Moving Picture Experts Group)信号を得て、これをＭＰＥＧ信号Ｍ１としてハードディスク装置１２に供給する。また、チューナ１１は、システム制御回路１０からアナログテレビジョン放送(ＮＴＳＣ（National Television Standards Committee）方式、ＰＡＬ（Phase Alternation by Line）方式、またはＳＥＣＡＭ（SEquential Couleur A Memoire）方式)のチャンネル指定信号が供給された場合には、この指定されたチャンネルのアナログテレビジョン放送波を受信する。この際、チューナ１１は、受信したアナログテレビジョン放送波を復調して得たテレビジョン信号をＭＰＥＧエンコーダ１４に供給する。ＭＰＥＧエンコーダ１４は、かかるテレビジョン信号に対してＭＰＥＧ符号化処理を施して得た信号をＭＰＥＧ信号Ｍ２としてハードディスク装置１２に供給する。
【００２３】
ハードディスク装置１２は、再生ＭＰＥＧ信号ＲＭをＭＰＥＧデコーダ１７に供給する。ＭＰＥＧデコーダ１７は、ハードディスク装置１２から供給されたＭＰＥＧ信号に対してＭＰＥＧ復号処理を施すことにより、映像信号を得てこれを映像信号ＤAVとしてセレクタ１８に供給する。
【００２４】
ＯＳＤ(On Screen Display)画像生成回路１９は、システム制御回路１０から供給された各種メッセージ表示指令に応じた画像を表示させるべきメッセージ画像信号ＤC を生成し、これをセレクタ１８に供給する。セレクタ１８は、上記映像信号ＤAVおよびメッセージ画像信号ＤC の中から、システム制御回路１０から供給された選択信号に応じた方を択一的に選択し、これをディスプレイ装置２００に供給する。
【００２５】
ディスプレイ装置２００は、情報記録再生装置１００から供給された上記映像信号ＤAV、またはメッセージ画像信号ＤC に基づく画像表示を行なう。
【００２６】
操作装置２２は、ユーザからの、放送チャンネルを指定する操作、録画済みファイルの中から再生するファイルを指定する操作等、各種の操作を受付け、その操作に応じた各種操作信号をシステム制御回路１０に供給する。なお、操作装置２２は、たとえば、情報記録再生装置１００の筐体とは分離しているリモートコントローラからなる。
【００２７】
図２に、操作装置２２の平面図を示す。
【００２８】
操作装置２２は、放送チャンネルの指定等において０〜９の各数字を入力するために利用されるテンキー２２９と、後述するタイムシフト再生と録画済みファイルの再生の切替えを行なうために操作される切替えキー２２０を含む。また、操作装置２２は、録画済みのファイルの再生において、再生位置の早送り／巻戻しを行なうために操作される早送りキー２２８／巻戻しキー２２７と、再生動作を開始／停止／一時停止させるために操作される再生キー２２４／停止キー２２５／一時停止キー２２６とを含む。さらに、操作装置２２は、情報記録再生装置１００への電源の投入のＯＮ／ＯＦＦを切替える電源キー２２１と、ユーザが画面等に表示されている内容を決定する意思を入力するために操作される決定キー２２２と、録画動作を行なわせるために操作される録画キー２２３とを含む。
【００２９】
図３に、ハードディスク装置１２のハードディスク１２０の記憶領域の内容を模式的に示す。
【００３０】
ハードディスク１２０は、リングバッファであるタイムシフト領域１２１と、情報を長期記録するための録画領域１２２とを含む。なお、ハードディスク１２０におけるタイムシフト領域１２１と録画領域１２２の領域の大きさは、たとえば、ユーザにより操作装置２２を介して入力された情報に基づいて決定される。また、ハードディスク１２０において、タイムシフト領域１２１の位置および録画領域１２２の位置は、システム制御回路１０内のメモリ１０Ａに、各領域のアドレスが記録されることにより管理されている。
【００３１】
情報記録再生装置１００は、録画動作、タイムシフト再生動作、および、録画済みファイルの再生動作を実行する。録画動作とは、チューナ１１にて受信して得られた上記ＭＰＥＧ信号Ｍ１またはＭ２を、記録領域１２２に記録する動作である。タイムシフト再生動作は、上記ＭＰＥＧ信号Ｍ１またはＭ２をタイムシフト領域１２１に記録し、タイムシフト領域１２１に記録された信号を再生ＭＰＥＧ信号ＲＭとして再生し、当該信号をＭＰＥＧデコーダ１７に供給してディスプレイ装置２００で映像を表示させる動作である。
【００３２】
なお、システム制御回路１０は、チューナにて受信して得られた上記ＭＰＥＧ信号Ｍ１またはＭ２から、ビットレートに応じた記録速度信号ＳW を求め、これを内蔵レジスタ（メモリ１０Ａ内の図示せぬレジスタ）に記憶させると共に、当該記録速度信号ＳW に応じた速度で、ピックアップ装置１２００を動作させて、タイムシフト領域１２１または記録領域１２２に、信号を記録する。
【００３３】
そして、録画済みファイル再生動作とは、録画領域１２２に記録された信号を、再生ＭＰＥＧ信号ＲＭとして再生し、ＭＰＥＧデコーダ１７に供給してディスプレイ装置２００で映像を表示させる動作である。
【００３４】
図４に、情報記録再生装置１００においてタイムシフト再生が行なわれる際の、ハードディスク１２０における記録位置および再生位置を模式的に示す。
【００３５】
タイムシフト再生では、ハードディスク１２０のタイムシフト領域１２１のライトポイントＷＰに対して録画動作が行なわれ、リードポイントＲＰに対して再生動作が行なわれる。タイムシフト領域１２１は、リングバッファにより構成されるため、タイムシフト再生における録画動作は、タイムシフト領域１２１の最後まで行なわれても、当該タイムシフト領域１２１を繰返し用いるように行なわれる。情報記録再生装置１００では、このようなタイムシフト再生が行なわれているときに、切替えキー２２０を操作されると、録画領域１２２に録画された番組が再生されるようになる。
【００３６】
なお、図４では、録画領域１２２において、領域１２２Ａ，１２２Ｂ，１２２Ｃ，…１２２Ｎという、Ｎ個のファイルが記録されている状態が示されている。ファイルとは、１つの番組ごとの映像データを言う。１つの番組とは、一度録画動作が開始されてから当該録画動作が終了するまでに記録された映像データを対象とするものである。
【００３７】
システム制御回路１０は、その内部に、メモリ１０Ａを備えている。メモリ１０Ａにおける記憶内容には、たとえば図５に表形式で模式的に示されるような、録画領域１２２に記録された各番組の情報が含まれる。図５から理解されるように、メモリ１０Ａに記憶される、録画領域１２２に記録された番組の情報は、番組のタイトルと、当該番組の録画領域１２２における記録開始位置と、当該番組が記録されている時間の長さ（記録時間）とが互いに関連づけられた情報である。なお、当該番組の記録時間の代わりに、当該番組の録画領域１２２における記録終了位置が関連づけられていても良い。記録終了位置と記録開始位置の時間情報から、記録時間を算出することができるからである。
【００３８】
また、図５では、「ＡＡＡ」のタイトルを付された番組、および、「ＢＢＢＢ」のタイトルを付された番組を含む、複数の番組についての情報が示されている。各番組は、録画領域１２２の領域１２２Ａ，１２２Ｂ，１２２Ｃ，…１２２Ｎのいずれかにそれぞれ記録されている映像データに対応する。
【００３９】
さらに、メモリ１０Ａには、たとえば図６に表形式で模式的に示されるように、周知の技術によりなされる録画予約についての情報が記憶されている。図６から理解されるように、録画予約についての情報は、録画するチャンネル（録画チャンネル）と、録画する日（録画日）と、録画を開始する時刻（録画開始時刻）と、録画を終了する時刻（録画終了時刻）とが互いに関連付けられた状態で記憶されている情報である。録画予約についての情報には、図６から理解されるように、録画チャンネル、録画日、録画開始時刻、および、録画終了時刻の、複数のセットが含まれていても良いし、単数のセットのみが含まれていることもある。また、ユーザにより録画予約がセットされていない場合には、図６に示されたような表に１つも録画予約についての情報が記録されていないことになる。
【００４０】
なお、録画予約についての情報として、録画を終了する時刻の代わりに、録画する時間の長さが記憶されていても良い。録画を開始する時刻と録画する時間の長さの情報とから、録画を終了する時刻を算出することができるからである。
【００４１】
ここで、情報記録生成装置１００への電源の投入が開始されてから、システム制御回路１０が実行する処理について、図７を参照しつつ説明する。図７は、システム制御回路１０が実行するメインルーチンのフローチャートである。
【００４２】
システム制御回路１０は、電源キー２２１が操作される等して、情報記録生成装置１００に電源が投入されると、ステップＳ１（以下、「ステップ」を省略する）で、タイマ２３をチェックして、現在の時刻が、メモリ１０Ａに記憶されている録画予約の録画日の録画開始時刻であるか否かを判断し、そうであれば、Ｓ２で録画予約に対応した処理（予約録画処理）を実行した後、Ｓ１に処理を戻す。一方、録画開始時刻でないと判断すれば、Ｓ３に処理を進める。なお、予約録画処理とは、録画チャンネルで指定されたチャンネルの映像データを録画領域１２２に記録する処理である。
【００４３】
Ｓ３では、システム制御回路１０は、上記したタイムシフト再生を行なうタイムシフト再生処理を実行する。なお、Ｓ３では、操作装置２２から入力されたチャンネルの変更等の情報に対応して、受信するチャンネルに対応した信号をチューナ１１に受信される等の処理を実行する。
【００４４】
次に、システム制御回路１０は、Ｓ４で、切替えキー２２０が操作されたか否かを判断する。そして、切替えキー２２０が操作されたと判断すると、Ｓ５へ処理を進める。一方、そうではないと判断すると、Ｓ６で、操作されたキーに応じた処理を行なって、Ｓ１に処理を戻す。
【００４５】
Ｓ５では、システム制御回路１０は、録画済み映像再生処理を実行して、Ｓ１に処理を戻す。
【００４６】
ここで、Ｓ５で実行される録画済み映像再生処理における、システム制御回路１０の詳細な動作を図８を参照しつつ説明する。図８は、録画済み映像再生処理のサブルーチンのフローチャートである。
【００４７】
録画済み映像再生処理では、システム制御回路１０は、まずＳ５０１で、図５に示したようなメモリ１０Ａ内の記憶内容を参照することにより、録画領域１２２に記録されたファイルの一覧を、ディスプレイ装置２００に表示させる。
【００４８】
次に、システム制御回路１０は、Ｓ５０２で、ユーザからの、再生させるファイルの指定を受付ける。なお、ユーザは、たとえば、操作装置２２を適宜操作することにより、再生させるファイルを指定する情報を情報記録再生装置１００へと入力することができる。なお、ここで指定されたファイルを、便宜上、録画領域１２２に記録されたＭ番目のファイルと呼ぶ。
【００４９】
次に、システム制御回路１０は、Ｓ５０３で、Ｓ５０２で指定を受付けたファイル（Ｍ番目のファイル）の再生を実行する。
【００５０】
そして、システム制御回路１０は、Ｓ５０４で、録画キー２２３が長押しされたか否かを判断する。長押しとは、たとえば、所定時間（たとえば３秒）以上連続して押圧されることを意味する。そして、録画キー２２３が長押しされたと判断するとＳ５０５へ、長押しされていないと判断するとＳ５０９へ、それぞれ処理を進める。
【００５１】
Ｓ５０５で、システム制御回路１０は、それまで実行していたファイルの再生動作を停止させ、そして、Ｓ５０６で、録画動作を実行する。このときの録画動作では、Ｓ５（図７参照）の録画済み映像再生処理に移行する直前にタイムシフト再生処理において選択されていたチャンネルの映像が記録される。また、このときの録画動作では、当該チャンネルの映像が、録画領域１２２内の、Ｓ５０５で再生を停止されたファイルが記録されていた領域の先頭位置から、記録される。つまり、Ｓ５０６での録画動作は、Ｓ５０６で再生を停止されたファイルの、つまり、直前まで再生されていたファイルの、上書きに相当する。
【００５２】
そして、システム制御回路１０は、Ｓ５０７で、Ｓ５０６で録画動作を開始してから、Ｓ５０６で上書きの対象とされているファイルの記録時間が経過したか否かを判断する。そして、経過したと判断すると、システム制御回路１０は、Ｓ５０８で録画動作を停止させて、処理をリターンさせる。なお、システム制御回路１０は、上書きの対象とされているファイルの記録時間を、メモリ１０Ａにおける録画番組の情報（図５参照）を参照することにより、認識する。
【００５３】
一方、Ｓ５０９では、システム制御回路１０は、現在再生させているファイルの再生が終了したか否かを判断し、終了したと判断すると、録画領域１２２に次のファイルが録画されているか否かを判断する。そして、次のファイルがあると判断すると、システム制御回路１０は、Ｓ５１３で、Ｍを１加算更新させて、Ｓ５０３へ処理を戻す。一方、次のファイルが無いと判断すると、システム制御回路１０は、処理をリターンさせる。
【００５４】
また、Ｓ５０９で、システム制御回路１０は、現在再生させているファイルの再生がまだ終了していないと判断すると、Ｓ５１０で、停止キー２２５が操作されたか否かを判断し、操作されていないと判断すると、そのままＳ５０３へ処理を戻し、操作されたと判断すると、Ｓ５１１で、ファイルの再生動作を停止させてリターンする。
【００５５】
以上説明した本実施の形態では、記録領域１２２にＭ番目に記録されたファイルを再生させているときに録画キー２２３が長押しされると、その時点から、直前にタイムシフト再生を行なっていたチャンネルの映像を、Ｍ番目が記録されていた領域に録画させることができる。なお、このような動作に基づいて映像が録画される時間の長さは、Ｍ番目が記録されていた時間の長さと同じものとされる。つまり、たとえば、Ｍ番目のファイルが１時間の長さの映像を記録されたものであれば、当該Ｍ番目のファイルの再生中に録画キー２２３を長押しすると、そこから１時間、録画動作が実行される。
【００５６】
また、このような録画キー２２３の長押しにより開始された録画動作の最中には、ディスプレイ装置２００には、Ｓ５０５で停止させた再生動作を再開させて、当該Ｍ番目を続きから再生させるように表示されても良いし、録画が行なわれているチャンネルの映像が表示されても良い。
【００５７】
Ｍ番目のファイルの再生の続きの映像が表示される場合には、図９に模式的に示されるように、録画領域１２２の同じファイル内（領域１２２Ｍ内）で、録画ポイント（ＷＰ）と再生ポイント（ＲＰ）が存在することになる。なお、再生ポイント（ＲＰ）は、録画キー２２３が長押しされたときに再生されていたポイント（ＸＰ）から、順次、右方向へと移動していく。
【００５８】
また、録画が行なわれているチャンネルの映像が表示される場合には、良い。Ｍ番目のファイルの再生の続きの映像がディスプレイ装置２００に表示される場合には、図１０に模式的に示されるように、録画ポイント（ＷＰ）と再生ポイント（ＲＰ）とが近くなる。つまり、領域１２２Ｍへ記録された映像がすぐに再生される。
【００５９】
また、Ｍ番目のファイルの再生の続きの映像が表示される場合、再生を再開されすることによる映像と録画領域１２２内に記録された映像とを、ディスプレイ装置２００におけるＰｉｎＰ（ピクチャー・イン・ピクチャー）画面で、いずれか一方を大きい画面に、いずれか他方を小さい画面に表示させても良い。
【００６０】
［第２の実施の形態］
本実施の形態のデータ記録再生装置は、第１の実施の形態において説明された情報記録再生装置１００と同様の構成を備えている。
【００６１】
なお、本実施の形態の情報記録再生装置１００は、第１の実施の形態では録画キー２２３の長押しにより録画動作を開始したのに対し、録画キー２２３の長押しにより、録画予約を行なう。つまり、本実施の形態の情報記録再生装置１００は、第１の実施の形態の情報記録再生装置１００に対して、録画済み映像再生処理の内容のみが異なる。したがって、ここでは、Ｓ５のサブルーチンとして実行される録画済み映像再生処理の内容のみを説明する。
【００６２】
図１１は、本実施の形態の録画済み映像再生処理のサブルーチンのフローチャートである。本実施の形態の録画済み映像再生処理では、システム制御回路１０は、まず、Ｓ６０１〜Ｓ６０４として、第１の実施の形態におけるＳ５０１〜Ｓ５０４と同様の処理を実行する。つまり、Ｓ６０１で、ファイルの一覧を表示させ、Ｓ６０２で、再生するファイルの指定を受付け、Ｓ６０３で、指定されたファイルを再生させ、そして、Ｓ６０４で、録画キー２２３が長押しされたか否かを判断する。
【００６３】
システム制御回路１０は、Ｓ６０４で、録画キー２２３を長押しされたと判断すると、Ｓ６０５に処理を進める。
【００６４】
Ｓ６０５で、システム制御回路１０は、ファイルの再生動作を停止させ、そして、Ｓ６０６で、録画予約を行なうための画面を、ディスプレイ装置２００に表示させる。録画予約を行なうための画面とは、たとえば、図１２に示されるように、録画するチャンネル（録画チャンネル：ＣＨ）と、録画を行なう日（録画日）と、録画を開始する時刻（開始時刻）と、録画を終了する時刻（終了時刻）とを表示する画面である。システム制御回路１０は、録画予約を行なうための画面に、直前のタイムシフト再生処理において選択していたチャンネルと現在の日と時刻とを、録画チャンネルと録画日と開始時刻とにデフォルトで表示させても良い。
【００６５】
そして、Ｓ６０７で、システム制御回路１０は、録画予約情報の受付けを行なう。録画予約情報の受付けとは、録画チャンネルと録画日と開始時刻の入力を受付ける処理である。ユーザは、操作装置２２等を利用して、これらの情報を入力することができる。なお、本実施の形態では、開始時刻か終了時刻のいずれか一方のみを入力することができる。これは、Ｓ６０５以降の処理に従ってなされる録画予約が、Ｓ６０５の処理の直前まで再生されていたＭ番目のファイルに上書きすることによって実現される録画動作の予約であるため、開始時刻か終了時刻のいずれか一方が入力されることにより、Ｍ番目のファイルの記録時間（図５参照）に基づいて、他方が決定されるからである。
【００６６】
そして、Ｓ６０８で、システム制御回路１０は、Ｓ６０７で受付けた録画予約情報を、図６に示したような録画予約の情報としてメモリ１０Ａに記憶して、処理をリターンさせる。
【００６７】
一方、システム制御回路１０は、Ｓ６０４で、録画キー２２３を長押しされていないと判断すると、Ｓ６０９に処理を進める。なお、Ｓ６０９〜Ｓ６１３の処理は、Ｓ５０９〜Ｓ５１３の処理と同様である。つまり、Ｍ番目のファイルの再生が終了する前に（Ｓ６０９でＮＯ）、停止キー２２５が操作されると（Ｓ６１０でＹＥＳ）、再生動作が停止され（Ｓ６１１）、処理がリターンされるが、停止キー２２５が操作されなければ（Ｓ６１０でＮＯ）、Ｓ６０３に処理が戻される。また、Ｍ番目のファイルの再生が終了したとき（Ｓ６０９でＹＥＳ）、次のファイルが録画領域１２２に記録されていれば（Ｓ６１２でＹＥＳ）、Ｍが１加算更新されて（Ｓ６１３）、Ｓ６０３に処理が戻される。また、次のファイルが録画領域１２２にされていなければ（Ｓ６１２でＮＯ）、つまり、そこで再生されていたのが最後のファイルであれば、そのまま処理がリターンされる。
【００６８】
［第３の実施の形態］
本実施の形態のデータ記録再生装置は、第１の実施の形態において説明された情報記録再生装置１００と同様の構成を備えている。
【００６９】
なお、本実施の形態の情報記録再生装置１００は、第１の実施の形態では録画キー２２３の長押しにより録画動作を開始したのに対し、録画キー２２３の長押しの時間を検出し、当該長押しの時間に応じて、その時点で録画動作を開始するのか、または、録画予約を行なうのかを決定する。つまり、本実施の形態の情報記録再生装置１００は、第１の実施の形態の情報記録再生装置１００に対して、録画済み映像再生処理の内容のみが異なる。したがって、ここでは、Ｓ５のサブルーチンとして実行される録画済み映像再生処理の内容のみを説明する。
【００７０】
図１３および図１４は、本実施の形態の録画済み映像再生処理のサブルーチンのフローチャートである。本実施の形態の録画済み映像再生処理では、システム制御回路１０は、まず、Ｓ７０１〜Ｓ７０４として、第１の実施の形態におけるＳ５０１〜Ｓ５０４と同様の処理を実行する。つまり、Ｓ７０１で、ファイルの一覧を表示させ、Ｓ７０２で、再生するファイルの指定を受付け、Ｓ７０３で、指定されたファイルを再生させ、そして、Ｓ６０４で、録画キー２２３が長押しされたか否かを判断する。
【００７１】
システム制御回路１０は、Ｓ７０４で、録画キー２２３を長押しされたと判断すると、さらに長押しの時間を検出し、長押しの時間が３秒以上５秒未満であればＳ７０５に処理を進め、５秒以上であればＳ７１４に処理を進める。
【００７２】
Ｓ７０５〜Ｓ７０８の処理は、Ｓ５０５〜Ｓ５０８の処理と同様の処理である。つまり、再生動作が停止された後、再生を停止させたＭ番目のファイルの記録時間と同じ長さだけ録画動作が実行された後、録画動作が停止され、処理がリターンされる。
【００７３】
一方、Ｓ７１４〜Ｓ７１７の処理は、第２の実施の形態において説明したＳ６０５〜Ｓ６０８の処理と同様の処理である。つまり、再生動作が停止された後、Ｍ番目のファイルに上書きをするための録画予約の設定がなされた後、処理がリターンされる。
【００７４】
つまり、本実施の形態では、録画キー２２３の長押し時間を判断することにより、録画予約ができずにそのまま録画動作が開始される状態（Ｓ７０５〜Ｓ７０８）か、録画予約が可能な状態（Ｓ７１４〜Ｓ７１７）かに設定されることになる。
【００７５】
また、システム制御回路１０は、Ｓ７０４で、録画キー２２３を長押しされていないと判断すると、Ｓ７０９に処理を進める。なお、Ｓ７０９〜Ｓ７１３の処理は、Ｓ５０９〜Ｓ５１３の処理と同様である。つまり、Ｍ番目のファイルの再生が終了する前に、停止キー２２５が操作されると、再生動作が停止され、処理がリターンされるが、停止キー２２５が操作されなければ、Ｓ７０３に処理が戻される。また、Ｍ番目のファイルの再生が終了したとき、次のファイルが録画領域１２２に記録されていれば、Ｍが１加算更新されて、Ｓ７０３に処理が戻される。また、次のファイルが録画領域１２２にされていなければ、つまり、そこで再生されていたのが最後のファイルであれば、そのまま処理がリターンされる。
【００７６】
今回開示された各実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。また、各実施の形態は、可能な限り、単独でも、組合されても、実施可能なものである。
【図面の簡単な説明】
【００７７】
【図１】本発明の第１の実施の形態の情報記録再生装置の構成を示す図である。
【図２】図１の操作装置の平面図である。
【図３】図１のハードディスク装置のハードディスクの記憶領域の内容を模式的に示す図である。
【図４】図１の情報記録再生装置においてタイムシフト再生が行なわれる際の、ハードディスクにおける記録位置および再生位置を模式的に示す。
【図５】図１のシステム制御部内のメモリに記憶される録画番組の情報の記憶態様の一例を模式的に示す図である。
【図６】図１のシステム制御部内のメモリに記憶される録画予約の情報の記憶態様の一例を模式的に示す図である。
【図７】図１のシステム制御部内が実行するメインルーチンのフローチャートである。
【図８】図７の録画済み映像再生処理のサブルーチンのフローチャートである。
【図９】図８の処理において、記録領域に記録された情報の再生中に録画キーが操作された際の、画像の記録位置および再生位置の一例を模式的に示す図である。
【図１０】図８の処理において、記録領域に記録された情報の再生中に録画キーが操作された際の、画像の記録位置および再生位置の別の例を模式的に示す図である。
【図１１】本発明の第２の実施の形態の情報記録装置において実行される、図７の録画済み映像再生処理のサブルーチンのフローチャートである。
【図１２】図１１の処理において、ディスプレイ装置に表示される録画予約を行なうための画面の一例を示す図である。
【図１３】本発明の第３の実施の形態の情報記録装置において実行される、図７の録画済み映像再生処理のサブルーチンのフローチャートである。
【図１４】本発明の第３の実施の形態の情報記録装置において実行される、図７の録画済み映像再生処理のサブルーチンのフローチャートである。
【符号の説明】
【００７８】
１０  システム制御回路、１０Ａ  メモリ、１１  チューナ、１２  ハードディスク装置、１８  セレクタ、１４  ＭＰＥＧエンコーダ、１７  ＭＰＥＧデコーダ、１９  ＯＳＤ画像生成回路、２２  操作装置、２３  タイマ、３０  ＤＶＤ記録再生装置、３１  ＤＶＤ、１００  情報記録再生装置、１２０  ハードディスク、１２１  タイムシフト領域、１２２  録画領域、２００  ディスプレイ装置、２２０  切替えキー、２２１  電源キー、２２２  決定キー、２２３  録画キー、２２４  再生キー、２２５  停止キー、２２９  テンキー。
【図１】
2005150800.tif 000003
【図２】
2005150800.tif 000004
【図３】
2005150800.tif 000005
【図４】
2005150800.tif 000006
【図５】
2005150800.tif 000007
【図６】
2005150800.tif 000008
【図７】
2005150800.tif 000009
【図８】
2005150800.tif 000010
【図９】
2005150800.tif 000011
【図１０】
2005150800.tif 000012
【図１１】
2005150800.tif 000013
【図１２】
2005150800.tif 000014
【図１３】
2005150800.tif 000015
【図１４】
2005150800.tif 000016